(57)【要約】【課題】広告のためのＷｅｂページ等の表示情報に含まれるメッセージが薬機法、景表法等の法令類の下で不当な表示に該当する場合に、使用可能なメッセージに変更するための情報を提示することができる。【解決手段】表示情報判定装置１は、メッセージ、不当な表示を規制する法令類の下でメッセージの使用の可否を示す可否結果、メッセージの使用が不可の場合に法令類の下で使用可能な代替メッセージ、可否結果が使用不可の場合に法令類における使用不可の理由の各項目を含むデータベース３１を記憶する記憶部３と、表示情報に含まれるメッセージを検索対象として受け付ける受付手段２０と、受け付けられた検索対象でデータベース３１のメッセージ及び理由の項目を検索して検索対象を含むメッセージ及び理由、さらに対応する他の項目を検索結果として抽出する検索手段２１と、抽出された検索結果を出力する出力手段２２とを備える。【選択図】図１
2020177449.tif 000002
【特許請求の範囲】
【請求項１】
メッセージ、不当な表示を規制する法令類の下で前記メッセージの使用の可否を示す可否結果、前記メッセージの使用が不可の場合に前記法令類の下で使用可能な代替メッセージ、前記可否結果が使用不可の場合に前記法令類における使用不可の理由の各項目を含むデータベースを記憶する記憶手段と、
表示情報に含まれるメッセージを検索対象として受け付ける受付手段と、
受け付けられた前記検索対象で前記データベースの前記メッセージ及び前記理由の項目を検索して前記検索対象を含む前記メッセージ及び前記理由、さらに対応する他の前記項目を検索結果として抽出する検索手段と、
抽出された前記検索結果を出力する出力手段と、
を備えた表示情報判定装置。
【請求項２】
前記データベースは、前記法令類の種類を示す項目を含む、
請求項１に記載の表示情報判定装置。
【請求項３】
前記理由は、使用可能な条件を含む、
請求項１又は２に記載の表示情報判定装置。
【請求項４】
前記記憶手段は、前記メッセージが受け付けられた前記表示情報をその識別情報とともに記憶し、
前記検索手段は、直前の編集作業により、前記データベースのメッセージの項目に可否結果の項目が使用不可となるメッセージが追加されたか否かを判断し、使用不可のメッセージが追加されたと判断した場合、前記記憶手段に記憶された前記表示情報が前記使用不可のメッセージを含むか否かを判断し、
前記出力手段は、前記検索手段により前記データベースに前記使用不可のメッセージが追加され、前記記憶手段に記憶された前記表示情報が前記使用不可のメッセージを含むと判断された場合、前記表示情報の前記識別情報を出力する、
請求項１から３のいずれか１項に記載の表示情報判定装置。
【請求項５】
前記記憶手段は、前記表示情報を前記識別情報の代わりに又は前記識別情報とともに連絡先情報を記憶し、
前記出力手段は、前記検索手段により前記データベースに前記使用不可のメッセージが追加され、前記記憶手段に記憶された前記表示情報が前記使用不可のメッセージを含むと判断された場合、対応する前記連絡先情報に前記表示情報が使用不可のメッセージを含むことになったこと、及び前記代替メッセージがある場合には前記代替メッセージと理由を通知する、
請求項４に記載の表示情報判定装置。
【発明の詳細な説明】
【技術分野】
【０００１】
本発明は、表示情報判定装置に関する。
【背景技術】
【０００２】
近年、ウェブサイト中に記載されている薬事用語を効率的に照合することができる薬事用語照合システムが提案されている（例えば、特許文献１参照）。
【０００３】
特許文献１に記載の薬事用語照合システムは、サーバとユーザ端末とがインターネットを介して接続され、ウェブサイト中に記載されている薬事用語を照合するための薬事用語照合システムであって、サーバは、ウェブサイトのＵＲＬを入力するためＵＲＬ入力欄をユーザ端末に表示させるＵＲＬ入力欄表示手段と、薬事用語を体系的に記憶するデータベース手段と、ＵＲＬ入力欄表示手段により入力されたＵＲＬのウェブサイトについて、ウェブサイト中に記載されている各用語と、データベース手段に記憶されている薬事用語とを照合する薬事用語照合手段と、該薬事用語照合手段による照合の結果、ウェブサイト中の薬事用語にチェックを付ける薬事用語チェック手段と、該薬事用語チェック手段により薬事用語にチェックを付けられたウェブサイトの画面をユーザ端末に表示させる画面表示手段とを備える。
【先行技術文献】
【特許文献】
【０００４】
【特許文献１】特開２００８−１８１１７２号公報
【発明の概要】
【発明が解決しようとする課題】
【０００５】
本発明の課題は、広告のためのＷｅｂページ等の表示情報に含まれるメッセージが薬機法、景表法等の法令類の下で不当な表示に該当する場合に、使用可能なメッセージに変更するための情報を提示することができる表示情報判定装置を提供することにある。
【課題を解決するための手段】
【０００６】
［１］メッセージ、不当な表示を規制する法令類の下で前記メッセージの使用の可否を示す可否結果、前記メッセージの使用が不可の場合に前記法令類の下で使用可能な代替メッセージ、前記可否結果が使用不可の場合に前記法令類における使用不可の理由の各項目を含むデータベースを記憶する記憶手段と、
表示情報に含まれるメッセージを検索対象として受け付ける受付手段と、
受け付けられた前記検索対象で前記データベースの前記メッセージ及び前記理由の項目を検索して前記検索対象を含む前記メッセージ及び前記理由、さらに対応する他の前記項目を検索結果として抽出する検索手段と、
抽出された前記検索結果を出力する出力手段と、を備えた表示情報判定装置。
［２］前記データベースは、前記法令類の種類を示す項目を含む、前記［１］に記載の表示情報判定装置。
［３］前記理由は、使用可能な条件を含む、前記［１］又は［２］に記載の表示情報判定装置。
［４］前記記憶手段は、前記メッセージが受け付けられた前記表示情報をその識別情報とともに記憶し、
前記検索手段は、直前の編集作業により、前記データベースのメッセージの項目に可否結果の項目が使用不可となるメッセージが追加されたか否かを判断し、使用不可のメッセージが追加されたと判断した場合、前記記憶手段に記憶された前記表示情報が前記使用不可のメッセージを含むか否かを判断し、
前記出力手段は、前記検索手段により前記データベースに前記使用不可のメッセージが追加され、前記記憶手段に記憶された前記表示情報が前記使用不可のメッセージを含むと判断された場合、前記表示情報の前記識別情報を出力する、前記［１］から［３］のいずれか１つに記載の表示情報判定装置。
［５］前記記憶手段は、前記表示情報を前記識別情報の代わりに又は前記識別情報とともに連絡先情報を記憶し、
前記出力手段は、前記検索手段により前記データベースに前記使用不可のメッセージが追加され、前記記憶手段に記憶された前記表示情報が前記使用不可のメッセージを含むと判断された場合、対応する前記連絡先情報に前記表示情報が使用不可のメッセージを含むことになったこと、及び前記代替メッセージがある場合には前記代替メッセージと理由を通知する、前記［４］に記載の表示情報判定装置。
【発明の効果】
【０００７】
請求項１に係る発明によれば、広告のためのＷｅｂページ等の表示情報に含まれるメッセージが薬機法、景表法等の法令類の下で不当な表示に該当する場合に、使用可能なメッセージに変更するための情報を提示することができる。
請求項２に係る発明によれば、メッセージが不当な表示に該当する場合の法令類の種類を知ることができる。
請求項３に係る発明によれば、使用不可能なメッセージを使用可能な条件を参照して使用可能な表現に変更することができる。
請求項４、５に係る発明によれば、あるメッセージが法令の改正等により使用不可となった場合、それを知らずに使用し続けるのを回避することができる。
【図面の簡単な説明】
【０００８】
【図１】図１は、本発明の第１の実施の形態に係る表示情報判定装置の制御系の一例を示すブロック図である。
【図２】図２は、データベースの一例を示す図である。
【図３】図３（ａ）は、検索画面の一例を示す図、図３（ｂ）は、詳細情報ウィンドウの一例を示す図である。
【図４】図４は、第１の実施の形態に係る表示情報判定装置の動作の一例を示すフローチャートである。
【図５】図５は、本発明の第２の実施の形態に係る表示情報判定装置の制御系の一例を示すブロック図である。
【図６】図６（ａ）、（ｂ）は、ユーザ端末の表示部に表示された検索画面の一例を示す図である。
【図７】図７は、本発明の第３の実施の形態に係る表示情報判定装置の制御系の一例を示すブロック図である。
【図８】図８は、第３の実施の形態に係る表示情報判定装置の動作の一例を示すフローチャートである。
【発明を実施するための形態】
【０００９】
以下、本明の実施の形態について図面を参照して説明する。なお、各図中、実質的に同一の機能を有する構成要素については、同一の符号を付してその重複した説明を省略する。
【００１０】
［実施の形態の要約］
本実施の形態に係る表示情報判定装置は、メッセージ、不当な表示を規制する法令類の下でメッセージの使用の可否を示す可否結果、メッセージの使用が不可の場合に法令類の下で使用可能な代替メッセージ、可否結果が使用不可の場合に法令類における使用不可の理由の各項目を含むデータベースを記憶する記憶手段と、表示情報に含まれるメッセージを検索対象として受け付ける受付手段と、受け付けられた検索対象でデータベースのメッセージ及び理由の項目を検索して検索対象を含むメッセージ及び理由、さらに対応する他の項目を検索結果として抽出する検索手段と、抽出された検索結果を出力する出力手段とを備える。
【００１１】
メッセージには、例えば、単語、キーワード、文等が含まれる。
【００１２】
不当な表示を規制する法令類には、例えば、医薬品、医療機器等の品質、有効性及び安全性の確保等に関する法律（以下、薬機法と略す。）、不当景品類及び不当表示防止法（以下、景表法と略す。）、薬事法等の法令（法律、政令、省令を含む。）や運用、ガイドライン等が含まれる。
【００１３】
表示情報は、電子文書、紙媒体、空中、水中等の何らかに表示して消費者、利用者等に伝えるための情報をいう。表示情報には、例えば、広告のためのＷｅｂページ、パンフレット、パッケージ等が含まれる。
【００１４】
出力手段は、検索結果を表示して出力してもよく、印刷して出力してもよい。また、出力手段は、検索結果を自装置が有する表示部に表示してもよく、ユーザ端末等の外部装置の表示部に表示してもよい。
【００１５】
［第１の実施の形態］
図１は、本発明の第１の実施の形態に係る表示情報判定装置の制御系の一例を示すブロック図である。この表示情報判定装置１は、本装置１の各部を制御する制御部２と、各種の情報を記憶する記憶部３と、液晶ディスプレイ等で実現される表示部４と、キーボード、マウス等で実現される入力部５とを備える。なお、表示部４及び入力部５は、これらが一体化されたタッチパネルディスプレイ等でもよい。
【００１６】
制御部２は、ＣＰＵ（Central Processing Unit）、インターフェース等で構成されている。ＣＰＵは、記憶部３に記憶されているプログラム３０を実行することにより、受付手段２０、検索手段２１、出力手段２２等として機能する。なお、各手段２０〜２２の詳細については後述する。
【００１７】
記憶部３は、ＲＯＭ（Read Only Memory）、ＲＡＭ（Random Access Memory）、ハードディスク等から構成され、プログラム３０、データベース３１等の各種の情報が記憶されている。
【００１８】
図２は、データベース３１の一例を示す図である。データベース３１は、「レコード番号」、「カテゴリ」、「メッセージ」、「表記ＯＫ／ＮＧ」、「代替メッセージ」、「説明」等の項目を有する。「レコード番号」は、レコードの識別情報である。「カテゴリ」には、表示を規制する法令類の種類が記載される。「メッセージ」には、判定済みのメッセージが記載される。「表記ＯＫ／ＮＧ」には、メッセージが法令類の下で使用可能（ＯＫ）か使用不可（ＮＧ）かが記載される。「代替メッセージ」には、メッセージが使用不可の場合に法令類の下で使用可能なメッセージが代替メッセージとして記載される。「説明」には、メッセージの使用不可の理由等が記載される。なお、「説明」には、使用不可の理由だけでなく、使用可能の理由を記載してもよく、使用不可のメッセージに対して使用可能な条件を記載してもよい。ここで、「表記ＯＫ／ＮＧ」は、可否結果の一例である。「説明」は、理由の一例である。
【００１９】
「代替メッセージ」や「説明」の項目に記載する内容は、法令類を所管する行政機関（例えば、景品表示法を所管する消費者庁）が公表している情報（例えば、景品表示法関係ガイドライン等）から取得してもよい。
【００２０】
その他に、消費者庁が公表している景品表示法関連報道発表資料（https://www.caa.go.jp/policies/policy/representation/fair_labeling/release/2018/）の情報を確認、解釈し、データベース３１に記載（登録ともいう。）してもよい。また、データベース３１の管理者の顧客に届いた消費者や行政からの優良誤認、有利誤認を招くおそれのあるメッセージに対する指摘をＮＧメッセージとしてデータベース３１に登録してもよい。理由に関しては、行政、弁護士等から適宜アドバイスを受けた情報をデータベース３１に反映してもよい。
【００２１】
次に、制御部２の各手段２０〜２２について説明する。
【００２２】
受付手段２０は、後述する図３（ａ）に示す検索画面４０の入力枠４１に入力された文字列によるメッセージを検索対象として受け付ける。この場合、例えば、操作者が判定対象のＷｅｂページに含まれるメッセージを選択して入力部５を操作して入力枠４１に入力する。なお、受付手段２０は、操作者の音声を音声テキスト変換部によって変換されたテキストを検索対象として受け付けてもよい。操作者は、例えば、データベース３１を管理する管理者又は当該管理者側の者でもよく、である。Ｗｅｂページ等の判定対象の管理者又は当該管理者側の者でもよい。
【００２３】
検索手段２１は、受け付けられた用語でデータベース３１の「メッセージ」及び「説明」の項目を検索してヒットした場合に、ヒットしたレコードの「カテゴリ」、「メッセージ」、「表記ＯＫ／ＮＧ」、「説明」の各項目の内容を検索結果として抽出する。
【００２４】
出力手段２２は、検索手段２１により抽出された検索結果を表示部４に表示する。具体的には、出力手段２２は、検索手段２１の検索によりヒットした場合、検索結果（「カテゴリ」、「メッセージ」、「表記ＯＫ／ＮＧ」の各項目の内容）を検索画面４０（図３（ａ）参照）の検索結果表示領域４３に表示する。また、出力手段２２は、検索結果表示領域４３に表示された検索結果のいずれかが選択されると、選択された検索結果の詳細情報（「カテゴリ」、「メッセージ」、「表記ＯＫ／ＮＧ」、「説明」の各項目の内容）を含む詳細情報ウィンドウ４４（図３（ｂ）参照）を表示部４に表示する。
【００２５】
（第１の実施の形態の動作）
次に、表示情報判定装置１の動作の一例を図３及び図４を参照して説明する。図４は、表示情報判定装置１の動作の一例を示すフローチャートである。
【００２６】
操作者は、入力部５を操作して検索画面の表示を要求する。受付手段２０は、表示部４に検索画面を表示する。
【００２７】
図３（ａ）は、表示部４に表示された検索画面の一例を示す図である。検索画面４０は、検索対象のメッセージが入力される入力枠４１と、検索の開始を指示する「検索」ボタン４２と、検索結果が表示される検索結果表示領域４３とを有する。
【００２８】
操作者は、判定対象のＷｅｂページからメッセージを抽出し、入力部５を操作して検索画面４０の入力枠４１にメッセージを文字列で入力する。続いて操作者は、「検索」ボタン４２を操作すると、受付手段２０は、入力枠４１に入力されたメッセージを受け付ける（Ｓ１）。図３（ａ）は、メッセージとして「小ジワ」が入力された場合を示す。
【００２９】
検索手段２１は、受付手段２０が受け付けたメッセージでデータベース３１を検索する（Ｓ２）。すなわち、検索手段２１は、データベース３１の「メッセージ」と「説明」の項目に受付手段２０が受け付けたメッセージを含むレコードを検索する。図２に示すデータベース３１の場合、レコード番号１、２の「メッセージ」の項目が「小ジワ」を含んでいることから、レコード番号１、２が検索される。
【００３０】
出力手段２２は、検索手段２１の検索によりヒットした場合（Ｓ３：Ｙｅｓ）、検索結果を検索画面４０の検索結果表示領域４３に表示する（Ｓ４）。図３（ａ）に示す場合は、「カテゴリ」、「メッセージ」、「表記ＯＫ／ＮＧ」の項目の内容である「薬機・景表法  小ジワ  ＮＧ」の検索結果４３ａ、及び「薬機・景表法  乾燥による小ジワを目立たなくする  ＯＫ」の検索結果４３ｂが表示されている。
【００３１】
検索結果表示領域４３に表示された検索結果４３ａ、４３ｂから、操作者は小ジワ単独では使用できないが、「乾燥による小ジワを目立たなくする」という表現にすれば、使用できることが分かる。
【００３２】
次に、操作者は、検索結果４３ａ、４３ｂのいずれかの詳細情報を確認したい場合は、確認したい検索結果、例えば検索結果４３ａにカーソルを移動して選択操作を行う（Ｓ５：Ｙｅｓ）。
【００３３】
出力手段２２は、選択された検索結果４３ａの詳細情報をデータベース３１から読み出し、検索画面４０上に詳細情報４４ａを含む詳細情報ウィンドウ４４を表示する（Ｓ６）。
【００３４】
図３（ｂ）は、詳細情報ウィンドウ４４の一例を示す図である。詳細情報ウィンドウ４４は、レコード番号以外の「カテゴリ」、「メッセージ」、「表記ＯＫ／ＮＧ」、「説明」の各項目の内容を有する詳細情報４４ａを表示している。これにより、操作者は、詳細情報４４ａから使用不可の理由を知ることができる。
【００３５】
詳細情報ウィンドウ４４を表示した際に、検索結果タブ４０ａ及びレコードタブ４０ｂも表示される。検索結果タブ４０ａを選択操作すると、図３（ａ）の検索画面４０に戻る。レコードタブ４０ｂを選択操作すると、他の検索結果の詳細情報４４ａが詳細情報ウィンドウ４４に表示される。操作者がデータベース３１の管理者又は当該管理者側の者である場合は、検索結果に基づく改善提案をＷｅｂページ等の判定対象の管理者側に伝える。
【００３６】
（第１の実施の形態の効果）
上記実施の形態によれば、以下の効果を奏する。
（ａ）受け付けられたメッセージの検索範囲として、データベース３１の「メッセージ」の項目だけではなく「説明」の項目も含めているため、メッセージが表記ＮＧの場合に「メッセージ」の項目のみを検索範囲とする場合よりも参考となる情報を得ることができる。
（ｂ）判定結果としてメッセージに対する３段階以上の評価値ではなく、使用可能か否かを示す表記ＯＫ／ＮＧの項目を採用しているので、メッセージの使用可否の判断が容易になる。なお、判定結果として、使用可能、使用不可、使用不可の可能性大等の３段階以上の表現又は評価値を採用してもよい。
【００３７】
［第２の実施の形態］
図５は、本発明の第２の実施の形態に係る表示情報判定装置の制御系の一例を示すブロック図である。第１の実施の形態では、表示情報判定装置１の入力部５に入力されたメッセージを受付手段２０が受け付けたが、本実施の形態は、ユーザ端末８から送信されたメッセージを受付手段２０が受け付けるようにしたものである。すなわち、本実施の形態の表示情報判定装置１は、第１の実施の形態の表示情報判定装置１に対して記憶部３にユーザ情報３２をさらに記憶し、制御部２に通信部６を接続したものであり、他は第１の実施の形態と同様に構成されている。以下、第１の実施の形態と異なる点を中心に説明する。
【００３８】
第２の実施の形態に表示情報判定装置１は、通信部６にインターネット等のネットワーク７を介して複数のユーザ端末８が接続されている。
【００３９】
ユーザ端末８は、例えば、パーソナルコンピュータ（ＰＣ）等の端末装置である。なお、ユーザ端末８は、ノートパソコン等の携帯型情報処理端末、多機能携帯電話（スマートフォン）等の移動通信端末でもよい。
【００４０】
ユーザ情報３２は、ユーザ端末８の操作者のユーザＩＤ及びパスワード、ユーザ端末８のメールアドレス等を含む。ユーザ端末８の操作者は、例えば、Ｗｅｂページ等の判定対象の管理者（当該管理者側の者を含む。）である。なお、ユーザ端末８の操作者は、データベース３１を管理する管理者（当該管理者側の者を含む。）でもよい。
【００４１】
受付手段２０は、ユーザ端末８からユーザＩＤ及びパスワードが送信され、それがユーザ情報３２に含まれている場合は、検索画面８０（図６（ａ）参照）をユーザ端末８の表示部に表示してデータベース３１へのアクセスを許可する。受付手段２０は、ユーザ端末８からネットワーク７を介して送信されたメッセージを受け付ける。
【００４２】
（第２の実施の形態の動作）
次に、第２の実施の形態に係る表示情報判定装置１の動作の一例を説明する。
【００４３】
操作者は、ユーザ端末８を操作してユーザＩＤ及びパスワードを表示情報判定装置１に送信して検索画面の表示を要求する。
【００４４】
表示情報判定装置１の受付手段２０は、ユーザ端末８から送信されたユーザＩＤ及びパスワードがユーザ情報３２に登録されているか否かを判断し、ユーザ情報３２に登録されている場合は、検索画面８０（図６（ａ）参照）をユーザ端末８の表示部に表示してデータベース３１へのアクセスを許可する。
【００４５】
図６（ａ）は、ユーザ端末８の表示部に表示された検索画面８０の一例を示す図である。検索画面８０は、「気になるメッセージを入力してください（２００文字以内）の案内８１と、メッセージを入力する入力枠８２と、検索の実行を指示する「検索」ボタン８３とを有する。
【００４６】
操作者がユーザ端末８を操作して入力枠８２にメッセージ（図６（ａ）の場合は、ハリ）を入力し、「検索」ボタン８３を操作すると、ユーザ端末８の制御部は、入力枠８２に入力されたメッセージをネットワーク７を介して表示情報判定装置１に送信する。
【００４７】
検出手段２１は、受付手段２０が受け付けたメッセージでデータベース３１を検索する。図２に示すデータベース３１の場合、レコード番号３の「メッセージ」の項目が「ハリ」を含んでいることから、レコード番号３が検索される。
【００４８】
出力手段２２は、検索結果８４ａ（図６（ｂ）参照）をネットワーク７を介してユーザ端末８に送信する。
【００４９】
表示情報判定装置１の受付手段２０は、通信部６を介してメッセージを受け付ける。検索手段２１は、受付手段２０が受け付けたメッセージ（例えば、ハリ）で図２に示すデータベース３１を検索する。図２に示す場合は、ハリが「メッセージ」の項目に記載されているので、レコード番号３の各項目の内容を検索結果８４ａとして抽出する。
【００５０】
出力手段２２は、検索手段２１により抽出された検索結果８４ａをネットワーク７を介してユーザ端末８に送信し、ユーザ端末８の表示部に検索結果８４ａを含む検索画面８０を表示する。
【００５１】
図６（ｂ）は、ユーザ端末８の表示部に表示された検索結果８４ａを含む検索画面８０の一例を示す図である。検索画面８０には、検索結果表示領域８４に検索結果（カテゴリ：景表法、メッセージ：ハリ、表記ＯＫ／ＮＧ：ＮＧ、代替メッセージ：若々しさ、説明：肌を連像させるので使用ＮＧ）８４ａが表示される。検索結果が複数存在する場合は、スクロールやページ送り等により検索結果をユーザ端末８の表示部に表示してもよい。
【００５２】
第２の実施の形態によれば、Ｗｅｂページ等の判定対象の管理者（当該管理者側の者を含む。）がデータベース３１にアクセスして、メッセージがＷｅｂページ等の判定対象に使用可能か否かを知ることができる。
【００５３】
［第３の実施の形態］
図７は、本発明の第３の実施の形態に係る表示情報判定装置の制御系の一例を示すブロック図である。この表示情報判定装置１は、第２の実施の形態の表示情報判定装置１に対して記憶部３にＷｅｂページ情報３３に記憶させたものであり、他は第２の実施の形態と同様に構成されている。以下、第２の実施の形態と異なる点を中心に説明する。
【００５４】
Ｗｅｂページ情報３３は、判定対象として複数のＷｅｂページがユーザＩＤに紐付けられて記憶されている。なお、Ｗｅｂページがメールアドレスに紐付けられてＷｅｂページ情報３３として記憶部３に記憶されてもよい。ユーザＩＤ及びメールアドレスは、表示情報の識別情報の一例である。メールアドレスは、連絡先情報の一例である。なお、表示情報の識別情報としてＷｅｂページの名称等でもよい。
【００５５】
受付手段２０は、第１の実施の形態と同様に、メッセージを受け付けるとともに、入力部５の操作による編集作業に基づいてデータベース３１の編集を行う。
【００５６】
検索手段２１は、直前の編集作業により、データベース３１の「メッセージ」の項目に「表記ＯＫ／ＮＧ」の項目がＮＧとなるメッセージが追加されたか否かを判断する。検索手段２１は、ＮＧのメッセージが追加されたと判断した場合、Ｗｅｂページ情報３３に含まれるＷｅｂページにＮＧのメッセージが含まれているか否かを判断する。
【００５７】
出力手段２２は、検索手段２１がＷｅｂページにＮＧのメッセージが含まれていると判断した場合、当該Ｗｅｂページに対応するユーザＩＤをＷｅｂページ情報３３から読み出し、ユーザＩＤに対応するメールアドレスをユーザ情報３２から読み出し、そのメールアドレスのユーザ端末８に当該ＷｅｂページがＮＧのメッセージを含むことになったこと、及び代替メッセージがある場合には代替メッセージと説明の内容を通知する。
【００５８】
（第３の実施の形態の動作）
図８は、第３の実施の形態の表示情報判定装置１の動作の一例を示すフローチャートである。
【００５９】
受付手段２０は、データベース３１の管理者が入力部５を操作してデータベース３１の編集を行う（Ｓ１１）。
【００６０】
検索手段２１は、データベース３１の「メッセージ」の項目に「表記ＯＫ／ＮＧ」の項目がＮＧとなるメッセージが追加されたか否かを判断する（Ｓ１２）。
【００６１】
検索手段２１は、ＮＧのメッセージが追加されたと判断した場合（Ｓ１２：Ｙｅｓ）、Ｗｅｂページ情報３３に含まれるＷｅｂページにＮＧのメッセージが含まれているか否かを判断する（Ｓ１３）。
【００６２】
検索手段２１がＷｅｂページにＮＧのメッセージが含まれていると判断した場合（Ｓ１３：Ｙｅｓ）、出力手段２２は、当該Ｗｅｂページに対応するユーザＩＤをＷｅｂページ情報３３から読み出し、ユーザＩＤに対応するメールアドレスをユーザ情報３２から読み出し、そのメールアドレスのユーザ端末８に当該ＷｅｂページがＮＧのメッセージを含むことになったこと、及び代替メッセージがある場合には代替メッセージと説明の内容を通知する（Ｓ１４）。
【００６３】
第３の実施の形態によれば、あるメッセージが法令の改正等によりＮＧとなった場合、それを知らずに使用し続けるのを回避することができる。
【００６４】
（変形例１）
上記各実施の形態では、判定対象のＷｅｂページから操作者がメッセージを抽出したが、制御部２がＷｅｂページに対して形態素解析等を行ってメッセージを抽出してもよい。また、制御部２は、Ｗｅｂページに対して形態素解析等を行ってデータベース３１に登録されている表記ＮＧのメッセージを抽出してもよく、表記ＮＧのメッセージの有無を判定してもよい。
【００６５】
（変形例２）
上記各実施の形態では、受け付けたメッセージが表記ＮＧの場合、説明の項目に記載されている使用可能な条件に合致するか否かを人間が判断することになるが、制御部２が当該メッセージの前後の文を考慮して判断してもよい。
【００６６】
（変形例３）
使用不可のメッセージの場合、制御部が隣接する画像からラベルを機械学習により抽出し、メッセージとラベルとの組合せからテーブルを参照して最終的にメッセージの使用可否を判定してもよい。例えば、太った女性の写真からラベルとして太った女性を機械学習により抽出し、その写真の近傍（例えば、写真に隣接する段落）に「ぽっちゃり」の単語が表記されていた場合、「ぽっちゃり」が効能を表現するとみなされ、表記ＮＧとなる場合がある。また、「太れない体質だとあきらめたくない！」、「女性らしい美ボディに！健康的にふっくらしたい」等の記載は、これらのメッセージ単体では「〜したくない」という直接効能効果を記載したものではなく、希望を表した表現なので、表記ＮＧの判定とはならない。しかし、変形例３の機械学習を用いた判定を行えば、太った女性の写真を「３ヶ月で５．１ｋｇ増えた」という効能効果の表現の吹出しと一緒に用いた場合、効能効果を想起させる表現となり、表記を控える警告又は表記ＮＧの警告を出力することができる。
【００６７】
また、太った人物が腹部を掴んでいるイラスト、細身の人物がサイズの大きなズボンを掴んでいるイラスト、又は人物が腹部を指差している写真等とともに、「挑戦者続出」、「食べるの大好き＆運動嫌い」、「でも燃えたい！」等の記載は、メッセージ単体では「挑戦者続出」、「食べるの大好き＆運動嫌い」は表記ＮＧの判定とらない。しかし、変形例３の機械学習を用いた判定を行えば、上記メッセージを上記イラストや写真と一緒に用いた場合、効能効果を想起させる表現となり、表記を控える警告又は表記ＮＧの警告を出力することができる。
【００６８】
（変形例４）
受け付けたメッセージとデータベース３１に登録されているメッセージとで異なる文字種を含む場合、文字種を変換して検索してもよい。例えば、データベース３１に「小ジワ」が登録されている場合において、受け付けたメッセージが「小じわ」や「小皺」の場合、平仮名の「じわ」や漢字の「皺」を片仮名の「シワ」に変換して検索してもよい。これにより、入力する文字種のエラーによる検索漏れを抑制することができる。また、受け付けたメッセージとデータベース３１に登録されているメッセージとが類語（同義語、類義語）の関係にある場合、同じメッセージと判断するようにしてもよい。例えば、受け付けたメッセージが「強化」の場合、データベース３１のメッセージの「増強」の類義語と判断して検索してもよい。これにより、類語に対応することができる。
【００６９】
以上、本発明の実施の形態を説明したが、本発明の実施の形態は上記各実施の形態に限定されるものではなく、本発明の要旨を変更しない範囲内で種々の変形、実施が可能である。例えば、上記各実施の形態は、判定対象の表示情報としてＷｅｂページについて説明したが、判定対象は、パンフレット、パッケージ等の他の情報でもよい。
【００７０】
制御部２の各手段は、その一部又は全部を再構成可能回路（ＦＰＧＡ：Field Programmable Gate Array）、特定用途向け集積回路（ＡＳＩＣ：Application Specific Integrated Circuit）等のハードウェア回路によって構成してもよい。
【００７１】
また、本発明の要旨を変更しない範囲内で、上記実施の形態の構成要素の一部を省くことや変更することが可能である。また、本発明の要旨を変更しない範囲内で、上記実施の形態のフローにおいて、ステップの追加、削除、変更、入替え等が可能である。また、上記実施の形態で用いたプログラムをＣＤ−ＲＯＭ等のコンピュータ読み取り可能な記録媒体に記録して提供することができる。また、上記実施の形態で用いたプログラムをクラウドサーバ等の外部サーバに格納しておき、ネットワークを介して利用することができる。
【符号の説明】
【００７２】
１…表示情報判定装置、２…制御部、３…記憶部、４…表示部、５…入力部、６…通信部、７…ネットワーク、８…ユーザ端末、２０…受付手段、２１…検索手段、２２…出力手段、３０…プログラム、３１…データベース、３２…ユーザ情報、３３…Ｗｅｂページ情報、４０…検索画面、４０ａ…検索結果タブ、４０ｂ…レコードタブ、４１…入力枠、４２…「検索」ボタン、４３…検索結果表示領域、４３ａ、４３ｂ…検索結果、４４…詳細情報ウィンドウ、４４ａ…詳細情報、８０…検索画面、８１…案内、８２…入力枠、８３…「検索」ボタン、８４…検索結果表示領域、８４ａ…検索結果
【図１】
2020177449.tif 000003
【図２】
2020177449.tif 000004
【図３】
2020177449.tif 000005
【図４】
2020177449.tif 000006
【図５】
2020177449.tif 000007
【図６】
2020177449.tif 000008
【図７】
2020177449.tif 000009
【図８】
2020177449.tif 000010
【手続補正書】
【提出日】令和1年8月6日(2019.8.6)
【手続補正１】
【補正対象書類名】特許請求の範囲
【補正対象項目名】全文
【補正方法】変更
【補正の内容】
【特許請求の範囲】
【請求項１】
メッセージ、不当な表示を規制する法令類の下で前記メッセージの使用の可否を示す可否結果、前記メッセージの使用が不可の場合に前記法令類の下で使用可能な代替メッセージ、前記可否結果が使用不可の場合に前記法令類における使用不可の理由の各項目を含むデータベースを記憶する記憶手段と、
表示情報に含まれるメッセージを検索対象として受け付ける受付手段と、
受け付けられた前記検索対象で前記データベースの前記メッセージ及び前記理由の項目を検索して前記検索対象を含む前記メッセージ及び前記理由の項目の内容、さらに対応する他の前記項目の内容を検索結果として抽出する検索手段と、
抽出された前記検索結果を出力する出力手段と、
を備え、
前記データベースは、前記メッセージの項目に、前記可否結果が使用不可のメッセージと、前記使用不可のメッセージを含むが前記可否結果が使用可のメッセージとを含み、
前記検索手段は、前記受付手段が受け付けた前記メッセージで前記データベースの前記メッセージ及び前記理由の項目を検索してヒットした場合に、ヒットしたレコードの各項目の内容を検索結果として抽出し、
前記出力手段は、前記可否結果に依らず前記検索結果を前記レコードごとに出力する、
表示情報判定装置。
【請求項２】
前記データベースは、前記法令類の種類を示す項目を含む、
請求項１に記載の表示情報判定装置。
【請求項３】
前記理由は、使用可能な条件を含む、
請求項１又は２に記載の表示情報判定装置。
【請求項４】
前記記憶手段は、前記メッセージが受け付けられた前記表示情報をその識別情報とともに記憶し、
前記検索手段は、直前の編集作業により、前記データベースの前記メッセージの項目に前記可否結果の項目が使用不可となるメッセージが追加されたか否かを判断し、使用不可のメッセージが追加されたと判断した場合、前記記憶手段に記憶された前記表示情報が前記使用不可のメッセージを含むか否かを判断し、
前記出力手段は、前記検索手段により前記データベースの前記メッセージの項目に前記使用不可のメッセージが追加され、前記記憶手段に記憶された前記表示情報が前記使用不可のメッセージを含むと判断された場合、前記表示情報の前記識別情報を出力する、
請求項１から３のいずれか１項に記載の表示情報判定装置。
【請求項５】
前記記憶手段は、前記表示情報を前記識別情報の代わりに又は前記識別情報とともに連絡先情報を記憶し、
前記出力手段は、前記検索手段により前記データベースの前記メッセージの項目に前記使用不可のメッセージが追加され、前記記憶手段に記憶された前記表示情報が前記使用不可のメッセージを含むと判断された場合、対応する前記連絡先情報に前記表示情報が使用不可のメッセージを含むことになったこと、及び前記代替メッセージがある場合には前記代替メッセージと前記理由を通知する、
請求項４に記載の表示情報判定装置。
【手続補正２】
【補正対象書類名】明細書
【補正対象項目名】０００６
【補正方法】変更
【補正の内容】
【０００６】
［１］メッセージ、不当な表示を規制する法令類の下で前記メッセージの使用の可否を示す可否結果、前記メッセージの使用が不可の場合に前記法令類の下で使用可能な代替メッセージ、前記可否結果が使用不可の場合に前記法令類における使用不可の理由の各項目を含むデータベースを記憶する記憶手段と、
表示情報に含まれるメッセージを検索対象として受け付ける受付手段と、
受け付けられた前記検索対象で前記データベースの前記メッセージ及び前記理由の項目を検索して前記検索対象を含む前記メッセージ及び前記理由の項目の内容、さらに対応する他の前記項目の内容を検索結果として抽出する検索手段と、
抽出された前記検索結果を出力する出力手段と、
を備え、
前記データベースは、前記メッセージの項目に、前記可否結果が使用不可のメッセージと、前記使用不可のメッセージを含むが前記可否結果が使用可のメッセージとを含み、
前記検索手段は、前記受付手段が受け付けた前記メッセージで前記データベースの前記メッセージ及び前記理由の項目を検索してヒットした場合に、ヒットしたレコードの各項目の内容を検索結果として抽出し、
前記出力手段は、前記可否結果に依らず前記検索結果を前記レコードごとに出力する、表示情報判定装置。
［２］前記データベースは、前記法令類の種類を示す項目を含む、前記［１］に記載の表示情報判定装置。
［３］前記理由は、使用可能な条件を含む、前記［１］又は［２］に記載の表示情報判定装置。
［４］前記記憶手段は、前記メッセージが受け付けられた前記表示情報をその識別情報とともに記憶し、
前記検索手段は、直前の編集作業により、前記データベースの前記メッセージの項目に前記可否結果の項目が使用不可となるメッセージが追加されたか否かを判断し、使用不可のメッセージが追加されたと判断した場合、前記記憶手段に記憶された前記表示情報が前記使用不可のメッセージを含むか否かを判断し、
前記出力手段は、前記検索手段により前記データベースの前記メッセージの項目に前記使用不可のメッセージが追加され、前記記憶手段に記憶された前記表示情報が前記使用不可のメッセージを含むと判断された場合、前記表示情報の前記識別情報を出力する、前記［１］から［３］のいずれか１つに記載の表示情報判定装置。
［５］前記記憶手段は、前記表示情報を前記識別情報の代わりに又は前記識別情報とともに連絡先情報を記憶し、
前記出力手段は、前記検索手段により前記データベースの前記メッセージの項目に前記使用不可のメッセージが追加され、前記記憶手段に記憶された前記表示情報が前記使用不可のメッセージを含むと判断された場合、対応する前記連絡先情報に前記表示情報が使用不可のメッセージを含むことになったこと、及び前記代替メッセージがある場合には前記代替メッセージと前記理由を通知する、前記［４］に記載の表示情報判定装置。